(57)【特許請求の範囲】
【請求項１】
一方の接続対象物側に配置される可動ハウジングと、他方の接続対象物側に配置される固定ハウジングと、一端側を可動ハウジングに保持され、他端側を固定ハウジングに保持された複数の端子とを備え、可動ハウジングを固定ハウジングに対して前後方向、左右方向及び上下方向に移動可能に設けたコネクタにおいて、
前記各端子の一端側と他端側との間に形成され、各ハウジングの左右方向、前後方向及び上下方向にそれぞれ弾性変形可能な可動部と、
各端子の可動部に近接するように可動ハウジングに着脱自在に設けられ、各端子のインピーダンスを変化させるインピーダンス設定部材とを備えた
ことを特徴とするコネクタ。
【請求項２】
前記各端子の可動部を蛇行状に屈曲するように形成するとともに、
前記インピーダンス設定部材を各端子の可動部の屈曲によって設けられた凹部に挿入可能に形成した
ことを特徴とする請求項１記載のコネクタ。
【請求項３】
前記インピーダンス設定部材を所定の誘電率を有する素材によって形成した
ことを特徴とする請求項１記載のコネクタ。
【請求項４】
前記インピーダンス設定部材を所定の誘電率を有する素材によって形成した
ことを特徴とする請求項２記載のコネクタ。
【発明の詳細な説明】
【技術分野】
【０００１】
本発明は、例えばパーソナルコンピュータとＨＤＤ（Ｈａｒｄ  Ｄｉｓｋ  Ｄｒｉｖｅ）とを接続する場合など、複数の装置を接続するためのコネクタに関するものである。
【背景技術】
【０００２】
従来、この種のコネクタとしては、一方の接続対象物側に配置される可動ハウジングと、他方の接続対象物側に配置される固定ハウジングと、一端側を可動ハウジングに保持され、他端側を固定ハウジングに保持された複数の端子とを備え、可動ハウジングを固定ハウジングに対して前後方向、左右方向及び上下方向に移動可能に設けたものが知られている。【０００３】
ところで、このコネクタを用いて複数の装置を接続する場合には、各装置間の信号を高速に伝送するために、各端子のインピーダンスを適切に調整する必要がある。しかしながら、このコネクタでは、所定の誘電率の金属板からなる端子を用いているので、端子のインピーダンスを任意に変更することができない。これにより、一方の接続対象物のインピーダンスに応じたインピーダンス特性を有するコネクタを改めて製造する必要があり、コネクタの製造コストが嵩むおそれがあった。【０００４】
そこで、所定の誘電率を有するインピーダンス設定部材を隣接する各端子間に挿入されるように着脱自在に設けることにより、端子のインピーダンスを変化させることの可能なコネクタが知られている（例えば特許文献１参照）。しかしながら、このインピーダンス設定部材はコネクタ本体の所定の面全体に接触するように装着されるので、上記のように前後方向、左右方向及び上下方向に移動可能なコネクタにインピーダンス設定部材を適用した場合には、各端子の弾性変形がインピーダンス設定部材によって規制され、可動ハウジングを移動させることができなくなるという問題点があった。
【特許文献１】特開平１０−２７０１２４号公報
【発明の開示】
【発明が解決しようとする課題】
【０００５】
本発明は前記問題点に鑑みてなされたものであり、その目的とするところは、可動ハウジングを固定ハウジングに対して任意の方向に確実に移動させることができ、しかも端子のインピーダンスを任意に変化させることの可能なコネクタを提供することにある。
【課題を解決するための手段】
【０００６】
本発明は前記目的を達成するために、一方の接続対象物側に配置される可動ハウジングと、他方の接続対象物側に配置される固定ハウジングと、一端側を可動ハウジングに保持され、他端側を固定ハウジングに保持された複数の端子とを備え、可動ハウジングを固定ハウジングに対して前後方向、左右方向及び上下方向に移動可能に設けたコネクタにおいて、前記各端子の一端側と他端側との間に形成され、各ハウジングの左右方向、前後方向及び上下方向にそれぞれ弾性変形可能な可動部と、各端子の可動部に近接するように可動ハウジングに着脱自在に設けられ、各端子のインピーダンスを変化させるインピーダンス設定部材とを備えている。【０００７】
これにより、各端子が弾性変形する際には、インピーダンス設定部材は各端子の可動部に近接するので、各端子の弾性変形を規制することがない。従って、可動ハウジングが固定ハウジングに対して任意の方向に移動可能となる。また、各端子の可動部に近接するように形成されたインピーダンス設定部材を可動ハウジングに着脱自在に設けているので、インピーダンス設定部材を着脱することによって端子のインピーダンスが任意に変化する。
【発明の効果】
【０００８】
本発明によれば、可動ハウジングを固定ハウジングに対して任意の方向に確実に移動させることができ、しかも端子のインピーダンスを任意に変化させることができるので、一方の接続対象物のインピーダンスに応じてコネクタを改めて製造する必要がなくなり、製造コストを増加させることがないという利点がある。
【図面の簡単な説明】
【０００９】
【図１】本発明の一実施形態によるコネクタの正面側斜視図
【図２】コネクタの背面側斜視図
【図３】コネクタの一部拡大斜視図
【図４】コネクタの側面断面図
【図５】コネクタの動作を示す側面断面図
【符号の説明】
【００１０】
１１…可動ハウジング、１２…固定ハウジング、２０…端子、２２…可動部、２２ａ…凹部、３０…キャップ、１００…相手側コネクタ、２００…基板。
【発明を実施するための最良の形態】
【００１１】
図１乃至図５は本発明の一実施形態を示すもので、図１はコネクタの正面側斜視図、図２はコネクタの背面側斜視図、図３はコネクタの一部拡大斜視図、図４はコネクタの側面断面図、図５はコネクタの動作を示す側面断面図である。【００１２】
このコネクタは、コネクタ本体１０と、コネクタ本体１０に保持された複数の端子２０と、インピーダンス設定部材としてのキャップ３０とからなり、各端子２０は、その一端側が一方の接続対象物としての相手側コネクタ１００と接触し、他端側が他方の接続対象物としての基板２００に接続されるようになっている。【００１３】
コネクタ本体１０は合成樹脂の成形品からなり、互いに別体に形成された絶縁性の可動ハウジング１１と固定ハウジング１２によって構成されている。【００１４】
可動ハウジング１１は、前面に相手側コネクタ１００を挿入するための開口部１１ａ，１１ｂを有し、各開口部１１ａ，１１ｂ内の幅方向には各端子２０を保持する複数の端子孔１１ｃが互いに等間隔で設けられている。また、各端子孔１１ｃの間及び各端子孔１１ｃの配列方向両端側には、それぞれキャップ３０を挿入するための複数の間隙１１ｄが形成されている。さらに、可動ハウジング１１の幅方向両端側には、固定ハウジング１２に嵌合する突部１１ｅがそれぞれ設けられている。【００１５】
固定ハウジング１２は、幅方向に各端子２０を保持する複数の端子孔１２ａを有し、各端子孔１２ａは互いに幅方向に等間隔で設けられている。また、固定ハウジング１２の幅方向両側面の下部には基板２００に接続する接続部１２ｂがそれぞれ設けられ、固定ハウジング１２の幅方向両側面の上部には可動ハウジング１１の各突部１１ｅを固定ハウジング１２の前後方向、上下方向及び幅方向に係止可能な係止部１２ｃがそれぞれ設けられている。ここで、可動ハウジング１１の各突部１１ｅを固定ハウジング１２の各係止部１２ｃに嵌合させた場合には、図３に示すように、各突部１１ｅと各係止部１２ｃとの間に前後方向、上下方向及び幅方向の空間が形成され、この空間の範囲内において可動ハウジング１１が固定ハウジング１２に対して移動可能となる。また、可動ハウジング１１が固定ハウジング１２に対して後方に所定の範囲だけ移動した場合には、可動ハウジング１１の幅方向両端側の後部が各係止部１２ｃの前面に係止する。【００１６】
各端子２０は、弾性変形可能な導電性の金属板からなり、その一端側は可動ハウジング１１に保持され、他端側は固定ハウジング１２に保持されている。端子２０は、図４に示すように、固定ハウジング１２に沿って前方に延びる保持片２１と、保持片２１の後端から上方に向かって延びるとともに前方に突出するように屈曲する可動部２２と、可動部２２から前方に向かって延びる真直部２３と、真直部２３の前端から下方に向かって屈曲する接触部２４とから形成されている。端子２０は、端子２０の真直部２３が可動ハウジング１１の端子孔１１ｃに圧入され、端子２０の係止片２１が固定ハウジング１２の端子孔１２ａに圧入されることにより、各コネクタ１１，１２に保持される。また、端子２０は、可動ハウジング１１が固定ハウジング１２に対して前後方向、左右方向及び上下方向に移動するのに伴って、可動部２２を基点として弾性変形するようになっている。【００１７】
また、端子２０の他端側には、基板２００に接続される接続部２５が設けられており、接続部２５は保持片２１の後端の下面から固定ハウジング１２の後方に突出するように形成されている。【００１８】
キャップ３０は所定の誘電率を有する合成樹脂の成形品からなり、可動コネクタ１１の幅方向に延びるように形成されている。キャップ３０の後端には、上下方向に延びる壁部３１が設けられ、キャップ３０の幅方向一端側には可動コネクタ１１の所定位置に取り付け可能な取付部３２が設けられている。また、キャップ３０の壁部３１には、前方に向けて突出する複数の突出部３３が互いに等間隔で形成されており、各突出部３３の下部には、前方に向かって延びるように形成された誘電部３４がキャップ３０の幅方向に亘って設けられている。キャップ３０を可動ハウジング１１に取り付ける場合には、取付部３２を可動ハウジング１１の所定の間隙１１ｄに挿入すると、取付部３２が可動ハウジング１１によって保持されるとともに、各突出部３０がそれぞれ対応する可動ハウジング１１の間隙１１ｄに挿入され、誘電部３４が各端子２０の凹部２２ａに挿入される。このとき、キャップ３０は、誘電部３４が各端子２０の可動部２２に近接した状態で可動ハウジング１１に保持されている。また、可動コネクタ１１の後方は壁部３１によって閉じられており、塵埃等がコネクタ本体１１内に侵入するのを防止する。なお、キャップ３０は可動ハウジング１１に着脱自在に形成されており、取付部３２の保持を解除することにより、キャップ３０を可動ハウジング１１から取り外すことが可能となる。また、キャップ３０を構成する合成樹脂の種類を変えることにより、誘電率の異なる複数のキャップ３０を形成することができる。【００１９】
以上のように構成されたコネクタは、例えばパーソナルコンピュータやＨＤＤ（Ｈａｒｄ  Ｄｉｓｋ  Ｄｒｉｖｅ）等の装置におけるインターフェース部の基板に取り付けられる。図５に示すように、コネクタ本体１０の前方に位置する相手側コネクタ１００を可動ハウジング１１の開口部１１ａに挿入すると、相手側コネクタ１００に設けられた端子１０１が各端子２０の接触部２４に接触する。ここで、相手側コネクタ１００が前後方向、左右方向及び上下方向に微小に移動した場合には、各端子２０は、可動ハウジング１１及びキャップ３０が相手側コネクタ１１とともに移動するのに従って可動部２２を基点として弾性変形する。このとき、各端子２０の凹部２２ａに挿入されたキャップ３０の誘電部３４は、各端子２０の可動部２２と間隔を保った状態で近接している。これにより、端子２０のインピーダンスは、可動部２２周辺の空気の誘電率とキャップ３０の誘電率との差に応じて変化し、例えば誘電率の高いキャップ３０が凹部２２ａに挿入された場合には、端子２０のインピーダンスの増加量が大きくなり、キャップ３０の誘電率が低い場合には、端子２０のインピーダンスの増加量が小さくなる。【００２０】
なお、上記の説明では省略したが、本実施形態のコネクタは、相手側コネクタ１００を可動ハウジング１１の開口部１１ｂに挿入した場合にも、上記と同様に動作する。【００２１】
このように、本実施形態のコネクタによれば、各端子２０の一端側と他端側との間に形成され、各ハウジング１１，１２の左右方向、前後方向及び上下方向にそれぞれ弾性変形可能な可動部２２と、各端子２０の可動部２２に近接するように可動ハウジング１１に着脱自在に設けられ、各端子２０のインピーダンスを変化させるキャップ３０とを備えたので、可動ハウジング１１を固定ハウジング１２に対して任意の方向に確実に移動させることができ、しかも端子２０のインピーダンスを任意に変化させることができるので、相手側コネクタ１００のインピーダンスに応じてコネクタを改めて製造する必要がなくなり、製造コストを増加させることがないという利点がある。【００２２】
また、各端子２０の可動部２２を蛇行状に屈曲するように形成するとともに、キャップ３０を各端子２０の可動部２２の屈曲によって設けられた凹部２２ａに挿入することができるように形成したので、端子２０が可動部２２を基点として弾性変形した場合にはキャップ３０が可動部２２に近接した状態で凹部２２ａ内を移動する。従って、キャップ３０によって端子２０の弾性変形が規制されるのを確実に防止することができる。【００２３】
さらに、キャップ３０を所定の誘電率を有する合成樹脂によって形成したので、互いに異なる誘電率を有する複数種類のキャップ３０を形成した場合には、端子２０のインピーダンスをキャップ３０の誘電率に応じて容易に変化させることができる。【００２４】
なお、前記実施形態では、各端子２０の可動部２２を前方に突出するように屈曲したものを示したが、このような形状に限定されるものではなく、例えば係止片２１の後端から上方に向かってＳ字状に屈曲するように形成してもよい。
【図１】
0004546469.tif 000002
【図２】
0004546469.tif 000003
【図３】
0004546469.tif 000004
【図４】
0004546469.tif 000005
【図５】
0004546469.tif 000006